(57)【要約】【課題】ビス等を使用することなく簡単に取り付けることができ、しかも、見栄えの良い蹴込板及びそういった蹴込板が取り付けられたキャビネットを提供する。【解決手段】この蹴込板２０は、キャビネットにおける下部前面の両側板１１、１２間を閉塞する正面部２１と、正面部２１に連設された、キャビネットの両側板１１、１２の内面にそれぞれ重ね合わされる重合部２７とを備えており、正面部２１は、前面板２２と、前面板２２の両側縁から後方に張り出す側面板２３と、側面板２３の後端縁から内側に張り出す後面板２４とから構成されている。重合部２７は、正面部２１における各後面板２４の内端縁から後方側にそれぞれ張り出す重合片２８と、各重合片２８から切り起こされた装着爪２９とから構成されており、装着爪２９を、側板１１、１２に形成された装着孔１１ａ、１２ａに圧入することで、蹴込板２０がキャビネットの側板１１、１２に取り付けられる。【選択図】        図３
2005124771.tif 000002
【特許請求の範囲】
【請求項１】
キャビネットの両側板に取り付けられる、金属板を折り曲げることによって形成された蹴込板であって、
前記キャビネットにおける下部前面の両側板間を閉塞する正面部と、
この正面部に連設された、前記キャビネットの両側板の内面にそれぞれ重ね合わされる左右一対の重合部と
を備え、
前記重合部には、前記キャビネットの両側板の内面に形成された装着孔に圧入される装着爪が切り起こされていることを特徴とする蹴込板。
【請求項２】
前記正面部の上縁及び／または下縁には、前記キャビネットの後方側に水平に張り出す上板及び／または下板が連設されている請求項１に記載の蹴込板。
【請求項３】
請求項１または２に記載の蹴込板が取り付けられたキャビネット。
【発明の詳細な説明】
【技術分野】
【０００１】
この発明は、流し台や洗面台等の家具類を構成しているキャビネットの下部前面に取り付けられる蹴込板に関する。
【背景技術】
【０００２】
例えば、流し台を構成しているキャビネット５０における収納部の下部前面は、図９（ａ）、（ｂ）に示すように、一方の側板５１と他方の側板５２との間が、木質板によって形成された蹴込板６０によって閉塞されており、こういった蹴込板６０は、両側板５１、５２の前端面にそれぞれビス止めされることで、キャビネット５０に取り付けられている。
【０００３】
【特許文献１】実開平５−３１６４６号公報
【発明の開示】
【発明が解決しようとする課題】
【０００４】
しかしながら、上述したように、キャビネット５０の両側板５１、５２の前端面にそれぞれビス止めされた蹴込板６０は、同図（ｂ）に示すように、固定用のビスの頭部６１がキャビネット５０の正面に露出することになるので、見栄えが悪いといった問題がある。
【０００５】
また、こういった蹴込板６０をキャビネット５０に取り付ける場合は、キャビネット５０を一旦組み立てた後に、蹴込板６０を両側板５１、５２にビス止めしなければならないので、キャビネット５０の製造工数が多くなり、効率よく製造することができないといった問題もある。
【０００６】
そこで、この発明の課題は、ビス等を使用することなく簡単に取り付けることができ、しかも、見栄えの良い蹴込板及びそういった蹴込板が取り付けられたキャビネットを提供することにある。
【課題を解決するための手段】
【０００７】
上記の課題を解決するため、請求項１にかかる発明は、キャビネットの両側板に取り付けられる、金属板を折り曲げることによって形成された蹴込板であって、前記キャビネットにおける下部前面の両側板間を閉塞する正面部と、この正面部に連設された、前記キャビネットの両側板の内面にそれぞれ重ね合わされる左右一対の重合部とを備え、前記重合部には、前記キャビネットの両側板の内面に形成された装着孔に圧入される装着爪が切り起こされていることを特徴とする蹴込板を提供するものである。
【０００８】
また、請求項２にかかる発明は、請求項１にかかる発明の蹴込板において、前記正面部の上縁及び／または下縁に、前記キャビネットの後方側に水平に張り出す上板及び／または下板を連設したのである。
【０００９】
また、上記の課題を解決するため、請求項３にかかる発明は、請求項１または２に記載の蹴込板が取り付けられたキャビネットを提供するものである。
【発明の効果】
【００１０】
以上のように、請求項１にかかる発明の蹴込板は、正面部に連設された左右一対の重合部から装着爪が切り起こされているので、キャビネットを組み立てる際に、蹴込板の装着爪を側板に形成された装着孔に圧入しながら、蹴込板を両側板間に挟み込むと、キャビネットの組み立てと、蹴込板の取り付けとを同時に行うことができる。従って、キャビネットの製造工数が少なくなり、効率よくキャビネットを製造することができる。
【００１１】
また、この蹴込板は、重合部から切り起こされた装着爪を、キャビネットの側板に形成された装着孔に圧入することによって、両側板に取り付けることができるので、木質板によって形成された従来の蹴込板のように、キャビネットの側板にビス止めする必要がない。従って、請求項３にかかる発明のように、この蹴込板が取り付けられたキャビネットは、その正面側にビス等の頭部が露出することがなく、キャビネットの見栄えが悪くなることもない。
【００１２】
特に、請求項２にかかる発明の蹴込板は、正面部の上縁及び／または下縁に、キャビネットの後方側に水平に張り出す上板及び／または下板が連設されているので、正面部の保形性が向上するという効果が得られる。
【発明を実施するための最良の形態】
【００１３】
以下、実施の形態について図面を参照して説明する。図１は、本発明のキャビネット１を組み合わせたシステムキッチンを示しており、各キャビネット１の両側板には、その下部前面に、厚さ０．７ｍｍのステンレス板を折り曲げることによって形成された蹴込板２０が取り付けられている。
【００１４】
この蹴込板２０は、図２（ａ）〜（ｃ）及び図３に示すように、キャビネット１における下部前面の両側板１１、１２間を閉塞する正面部２１と、この正面部２１に連設された、キャビネット１の両側板１１、１２の内面にそれぞれ重ね合わされる左右一対の重合部２７とを備えている。
【００１５】
前記正面部２１は、キャビネット１の全幅と同一長さを有する前面板２２と、この前面板２２の両側縁から、それぞれ後方に張り出す側面板２３と、この側面板２３の後端縁から、それぞれ内側に張り出す後面板２４とから構成されており、後面板２４は、キャビネット１の側板１１、１２の厚みと略同一の長さを有している。
【００１６】
前記重合部２７は、前記正面部２１における各後面板２４の内端縁から後方側にそれぞれ張り出す重合片２８と、各重合片２８から切り起こされた装着爪２９とから構成されており、装着爪２９を、キャビネット１の両側板１１、１２に形成された装着孔１１ａ、１２ａに圧入することで、重合片２８と側板１１、１２の内面とが相互に接触した状態で、蹴込板２０がキャビネット１の側板１１、１２に取り付けられるようになっている。
【００１７】
以上のように、この蹴込板２０では、正面部２１に連設された左右一対の重合部２７の重合片２８から装着爪２９が切り起こされているので、キャビネット１を組み立てる際に、蹴込板２０の装着爪２９をキャビネット１の側板１１、１２に形成された装着孔１１ａ、１２ａに圧入しながら、蹴込板２０を両側板１１、１２間に挟み込むと、キャビネット１の組み立てと、蹴込板２０の取り付けとを同時に行うことができる。従って、キャビネットを組み立てた後に、キャビネットの側板にビス止めするようになっている従来の蹴込板に比べて、キャビネット１の製造工数が少なくなり、効率よくキャビネット１を製造することができる。
【００１８】
なお、上述した実施形態では、蹴込板２０の正面部２１を、前面板２２、側面板２３、２３及び後面板２４、２４によって構成しているが、これに限定されるものではなく、図４〜図６に示す蹴込板２０Ａのように、前面板２２の上端縁及び下端縁から後方に張り出す上板２５及び下板２６を設けておくことも可能であり、このような構成を採用することによって、前面板２２部分の保形性が向上するという効果が得られる。
【００１９】
また、上述した実施形態では、蹴込板２０、２０Ａの正面部２１が、側面板２３、２３及び後面板２４、２４を備えているが、これに限定されるものではなく、図７及び図８に示す蹴込板２０Ｂのように、正面部２１を前面板２２のみによって構成することも可能である。
【００２０】
また、上述した実施形態では、システムキッチンに使用されるキャビネット１について説明したが、これに限定されるものではなく、本発明の蹴込板は、洗面台等の家具類に使用される種々のキャビネットについて適用することができることはいうまでもない。
【図面の簡単な説明】
【００２１】
【図１】この発明にかかるキャビネットの一実施形態を使用しているシステムキッチンを示す正面図である。
【図２】（ａ）は同上のキャビネットに取り付けられている蹴込板を示す平面図、（ｂ）は同上の蹴込板を示す正面図、（ｃ）は同上の蹴込板を示す側面図である。
【図３】同上の蹴込板のキャビネットへの取付状態を示す断面図である。
【図４】（ａ）は他の実施形態である蹴込板を示す部分平面図、（ｂ）は同上の蹴込板を示す部分正面図、（ｃ）は同上の蹴込板を示す側面図である。
【図５】（ａ）は同上の蹴込板を示す部分背面図、（ｂ）は（ａ）のＸ−Ｘ線に沿った断面図である。
【図６】同上の蹴込板のキャビネットへの取付状態を示す断面図である。
【図７】（ａ）は他の実施形態である蹴込板を示す平面図、（ｂ）は同上の蹴込板を示す正面図、（ｃ）は同上の蹴込板を示す側面図である。
【図８】同上の蹴込板のキャビネットへの取付状態を示す断面図である。
【図９】（ａ）は従来の蹴込板を取り付ける前のキャビネットを示す斜視図、（ｂ）は従来の蹴込板を取り付けた後のキャビネットを示す斜視図である。
【符号の説明】
【００２２】
１  キャビネット
１１、１２  側板
１１ａ、１２ａ  装着孔
２０、２０Ａ、２０Ｂ  蹴込板
２１  正面部
２２  前面板
２３  側面板
２４  後面板
２５  上板
２６  下板
２７  重合部
２８  重合片
２９  装着爪
【図１】
2005124771.tif 000003
【図２】
2005124771.tif 000004
【図３】
2005124771.tif 000005
【図４】
2005124771.tif 000006
【図５】
2005124771.tif 000007
【図６】
2005124771.tif 000008
【図７】
2005124771.tif 000009
【図８】
2005124771.tif 000010
【図９】
2005124771.tif 000011